(57)【特許請求の範囲】
【請求項１】
第１特賞条件として第１特定入賞口へのパチンコ玉の入賞に応じて行われる抽選動作の結果が当たりであった場合に当該抽選動作の結果を表示した後に第１の特賞状態を呈すると共に、第２特賞条件として第２の特定入賞口へのパチンコ玉の入賞に応じて動作する電気役物へ入賞したパチンコ玉が特定領域を通過したときに第２の特賞状態を呈し、前記第１の特賞状態にある期間に前記第２特賞条件が成立したときには当該第１の特賞状態を中断したうえで前記第２の特賞状態へ優先的に切り替わる構成とされ、前記第１の特賞状態及び第２の特賞状態にある各期間に第１特賞信号及び第２特賞信号をそれぞれ出力するとともに、前記抽選動作の結果を表示する毎に第１スタート信号を、前記電気役物が動作する毎に第２スタート信号を出力するパチンコ遊技機についての稼動データを管理対象とした遊技場用管理システムにおいて、
前記遊技機が前記第１の特賞状態に切り替わった各期間毎の稼動データを前記第１特賞信号に基づいて集計する第１集計手段と、
前記遊技機が前記第２の特賞状態に切り替わった各期間毎の稼動データを前記第２特賞信号に基づいて集計する第２集計手段と、
前記第１特賞信号の出力が終了したときに判定フラグをＯＦＦからＯＮとし、当該判定フラグをＯＮにしてから前記第１特賞信号、第２特賞信号、第１スタート信号、第２スタート信号の何れもが入力しないまま所定時間が経過したときに当該判定フラグをＯＮからＯＦＦへ戻す一方、当該判定フラグがＯＮの状態で前記第２特賞信号が入力したときには前記第１の特賞状態が中断したと判定するとともに、前記第１の特賞状態が中断したと判定した後前記第１特賞信号の入力が再開した時点で当該第１の特賞状態へ復帰したと判定することにより、前記第１の特賞状態の中断及び復帰を検出する検出手段と、
この検出手段が前記第１の特賞状態の中断を検出したときに前記第１集計手段の集計動作を中断すると共に、当該第１の特賞状態への復帰を検出したときに前記第１集計手段の集計動作を再開する計数制御手段と
を備えたことを特徴とする遊技場用管理システム。
【発明の詳細な説明】
【技術分野】
【０００１】
本発明は、互いに異なる内容の第１特賞条件及び第２特賞条件が成立した各場合にそれぞれ独立した形態の第１の特賞状態及び第２の特賞状態に所定期間ずつ切り替わる遊技機、特には、第１特賞条件及び第２特賞条件が双方とも成立したときには第２の特賞状態へ優先的に切り替わるように構成された遊技機についての稼動データを管理対象とした遊技場用管理システムに関する。
【背景技術】
【０００２】
例えばパチンコ遊技機においては、所定の特賞条件が成立したときに入賞率を通常時より大幅に高めた特賞状態を所定期間だけ保持する構成のものが一般的になっている。従来では、この種のパチンコ遊技機についての稼動データを管理するための遊技場用管理システムとして、パチンコ遊技機が特賞状態にある期間の打込パチンコ玉数を集計して出力するものが提供されている（例えば特許文献１参照）。
【０００３】
また、近年では、特許文献２及び特許文献３などに見られるように、スタート入賞口へのパチンコ玉の入賞に応じて行われる抽選動作の結果が当たりであった場合に特賞状態（以下、これを第１種特賞状態と呼ぶ）を呈する第１種パチンコ遊技機（所謂セブン機）と、始動チャッカーへのパチンコ玉の入賞により羽根が短時間だけ開き、その中にあるＶゾーンにパチンコ玉が入賞したときに特賞状態（以下、これを第２種特賞状態と呼ぶ）を呈する第２種パチンコ遊技機（所謂ハネモノ）とを融合した形態のパチンコ遊技機が提案されている。尚、特許文献２には、パチンコ遊技機において第１種特賞状態及び第２種特賞状態が同時に発生した場合に、第２種特賞状態の制御を優先的に行う旨の記載があり、また、特許文献３には、パチンコ遊技機において第１種特賞状態及び第２種特賞状態が同時に発生した場合に、一方の特賞状態の実行を待機させる旨の記載がある。
【特許文献１】特開２００１−１９０８１２号公報
【特許文献２】特開２０００−３３１４１号公報
【特許文献３】特開２００３−６２２１５号公報
【発明の開示】
【発明が解決しようとする課題】
【０００４】
従来の遊技場用管理システムでは、第１種パチンコ遊技機と第２種パチンコ遊技機とを融合した新しい形態のパチンコ遊技機、つまり、２種類の特賞状態が同時に発生可能なパチンコ遊技機を管理対象とすることについて何も考慮されていない。このため、例えば、第１種特賞状態の発生期間中に第２種特賞状態が発生して当該第１種特賞状態が中断された場合には、その第１種特賞状態の発生から中断までの稼動データが１回分の特賞状態での集計データとして区分され、また、その後に第１種特賞状態が再開されてから終了するまでの稼動データも１回分の特賞状態での集計データとして区分されることになる。この結果、パチンコ遊技機の稼動データを、特賞状態の各回の発生期間毎に正確に区分して集計できなくなり、集計データが不正確になるという問題点があった。
【０００５】
本発明は上記事情に鑑みてなされたものであり、その目的は、２種類の特賞状態が同時に発生可能な遊技機が管理対象であった場合でも、遊技機についての稼動データを特賞状態の各回の発生期間毎に正確に区分して集計できるようになる遊技場用管理システムを提供することにある。
【課題を解決するための手段】
【０００６】
請求項１記載の発明は、上記目的を達成するために、第１特賞条件として第１特定入賞口へのパチンコ玉の入賞に応じて行われる抽選動作の結果が当たりであった場合に当該抽選動作の結果を表示した後に第１の特賞状態を呈すると共に、第２特賞条件として第２の特定入賞口へのパチンコ玉の入賞に応じて動作する電気役物へ入賞したパチンコ玉が特定領域を通過したときに第２の特賞状態を呈し、前記第１の特賞状態にある期間に前記第２特賞条件が成立したときには当該第１の特賞状態を中断したうえで前記第２の特賞状態へ優先的に切り替わる構成とされ、前記第１の特賞状態及び第２の特賞状態にある各期間に第１特賞信号及び第２特賞信号をそれぞれ出力するとともに、前記抽選動作の結果を表示する毎に第１スタート信号を、前記電気役物が動作する毎に第２スタート信号を出力するパチンコ遊技機についての稼動データを管理対象とした遊技場用管理システムにおいて、
前記遊技機が前記第１の特賞状態に切り替わった各期間毎の稼動データを前記第１特賞信号に基づいて集計する第１集計手段と、
前記遊技機が前記第２の特賞状態に切り替わった各期間毎の稼動データを前記第２特賞信号に基づいて集計する第２集計手段と、
前記第１特賞信号の出力が終了したときに判定フラグをＯＦＦからＯＮとし、当該判定フラグをＯＮにしてから前記第１特賞信号、第２特賞信号、第１スタート信号、第２スタート信号の何れもが入力しないまま所定時間が経過したときに当該判定フラグをＯＮからＯＦＦへ戻す一方、当該判定フラグがＯＮの状態で前記第２特賞信号が入力したときには前記第１の特賞状態が中断したと判定するとともに、前記第１の特賞状態が中断したと判定した後前記第１特賞信号の入力が再開した時点で当該第１の特賞状態へ復帰したと判定することにより、前記第１の特賞状態の中断及び復帰を検出する検出手段と、
この検出手段が前記第１の特賞状態の中断を検出したときに前記第１集計手段の集計動作を中断すると共に、当該第１の特賞状態への復帰を検出したときに前記第１集計手段の集計動作を再開する計数制御手段とを備えた構成としたものである。
【発明の効果】
【０００９】
請求項１記載の発明によれば、遊技機は、第１の特賞状態にある期間中に第２特賞条件が成立したときには、当該第１の特賞状態を中断して第２の特賞状態に切り替わり、この第２の特賞状態が終了した後に第１の特賞状態に復帰することになる。一方、第１集計手段は、遊技機が第１の特賞状態に切り替わった各期間毎の稼動データを、遊技機が第１の特賞状態にある期間に出力される第１特賞信号に基づいて集計する。また、第２集計手段は、遊技機が第２の特賞状態に切り替わった各期間毎の稼動データを、遊技機が第２の特賞状態にある期間に出力される第２特賞信号に基づいて集計する。
【００１０】
この場合、前述したように、第１の特賞状態にある期間中に第２特賞条件が成立したときには、当該第１の特賞状態を中断して第２の特賞状態に切り替わり、この第２の特賞状態が終了した後に第１の特賞状態に復帰することになるため、第１集計手段による集計動作が第１特賞信号のみに基づいて行われたときには、本来的に第１の特賞状態が１回発生した期間に区分されるべき稼動データが、２回分の特賞状態に対応したデータとして取り扱われることになり、遊技機の稼動データを第１の特賞状態の各回の発生期間毎に正確に区分して集計できなくなる。
【００１１】
これに対して、請求項１記載の発明では、第１特賞信号及び第２特賞信号に基づいて上述のような第１の特賞状態の中断及び復帰を検出する検出手段と、第１の特賞状態の中断が検出されたときに第１集計手段の集計動作を中断すると共に、当該特賞状態への復帰が検出されたときに第１集計手段の集計動作を再開させる計数制御手段とが設けられているから、その第１集計手段による集計結果は、第１の特賞状態が１回発生した期間における遊技機の稼動データに対応したものになる。つまり、本来的に第１の特賞状態が１回発生した期間に区分されるべき稼動データが、２回分の特賞状態に対応したデータとして取り扱われることがなくなるものであり、これにより、遊技機についての稼動データを特賞状態の各回の発生期間毎に正確に区分して集計できるようになる。
【発明を実施するための最良の形態】
【００１４】
以下、本発明パチンコホール用管理システムに適用した一実施例について図面を参照しながら説明する。
図２にはパチンコ遊技機の正面外観が概略的に示されている。この図２において、パチンコ遊技機１は、その上皿２内のパチンコ玉を電動式の玉発射機構（操作ダイヤルのみ符号３を付して示す）により盤面４へ発射する構成となっている。盤面４には、アウト口５、第１スタート入賞口６（第１の特定入賞口に相当）、第２スタート入賞口７ａ及び７ｂ（第２の特定入賞口に相当）、一般的にアタッカーと呼ばれている電動役物８ａを備えた大型入賞口８、複合役物９が設けられていると共に、図示しない通常入賞口も設けられている。
【００１５】
複合役物９は、第２種パチンコ遊技機（所謂ハネモノ）の機能を実現するためのセンター役物１０（電気役物に相当）内に、第１種パチンコ遊技機（所謂セブン機）の機能を実現するための図柄表示部１１を配置した構成となっている。
この場合、センター役物１０は、入賞領域を囲んだ形態の枠状部１０ａの左右両側に常時において当該入賞領域を閉鎖するように配置された一対の羽根１０ｂを備えており、その羽根１０ｂが図中に二点鎖線で示すように拡開されたときに入賞領域へのパチンコ玉の入賞が可能な状態となる。また、入賞領域の底部は、中央部に形成されたＶゾーン１０ｃ（特定領域に相当）と当該Ｖゾーン１０ｃ以外の部分を占める通常入賞口１０ｄとに区分されており、そのＶゾーン１０ｃをパチンコ玉が通過したときに本発明でいう第２特賞条件が成立する。
【００１６】
即ち、センター役物１０にあっては、第２スタート入賞口７ａ或いは７ｂにパチンコ玉が入賞したときに羽根１０ｂを短時間（例えば１秒）だけ拡開する動作を実行する構成となっており、その拡開期間に枠状部１０ａにより囲まれた入賞領域に入賞したパチンコ玉がＶゾーン１０ｃを通過した場合に第２特賞条件が成立することになる。この第２特賞条件が成立した状態では、羽根１０ｂが比較的長い時間ずつ所定回数だけ拡開されるものであり、これに応じて入賞領域への入賞率が通常時より大幅に高められた大当たり状態（第２の特賞状態に相当：以下これを第２種特賞状態と呼ぶ）を呈する。
尚、上記第２種特賞状態にある期間には、第２スタート入賞口７ａ或いは７ｂにパチンコ玉が入賞した場合でも羽根１０ｂの短時間拡開動作が行われることはない。
【００１７】
一方、図柄表示部１１は、第１スタート入賞口６へのパチンコ玉の入賞に応じて行われる所定確率の抽選動作の結果を表示するためのもので、図２では、３桁の数字列より成るルーレットを表示する例が示されている。即ち、図柄表示部１１は、第１スタート入賞口６へのパチンコ玉の入賞に応じてルーレットの変動表示（本実施例の場合、数字列の各桁の「０」〜「９」の範囲での変動表示）を開始するものであり、上記抽選動作の結果が大当たりであったときにはその変動終了時点で数字列が「１１１」、「２２２」、…のようなぞろ目図柄（特賞図柄）となるように制御される。
【００１８】
このようにぞろ目図柄が表示された状態が本発明でいう第１特賞条件が成立した状態に相当する。そして、第１特賞条件が成立したときには、大型入賞口８の電動役物８ａ（アタッカー）が予め決められたモードにて所定期間だけ開放され、以て当該入賞口８への入賞率が極端に高められた大当たり状態（第１の特賞状態に相当：以下これを第１種特賞状態と呼ぶ）を呈するものである。
【００１９】
この場合、上述した第１特賞条件及び第２特賞条件が双方とも成立したときには、第２種特賞状態へ優先的に切り替わる構成となっている。このため、第２種特賞状態にある期間中に第１特賞条件が成立したときには、当該第２種特賞状態が終了した後に第１種特賞状態に切り替わることになる。また、第１種特賞状態にある期間中に第２特賞条件が成立したときには、当該第１種特賞状態を中断して第２種特賞状態に切り替わり、この第２種特賞状態が終了した後に第１種特賞状態に復帰することになる。
【００２０】
尚、第１スタート入賞口６へのパチンコ玉の入賞が、図柄表示部１１の変動表示期間、第１種特賞状態及び第２種特賞状態にある期間に発生した各場合には、その入賞に応じた抽選結果が一時的に記憶されると共に、このように記憶された抽選結果の表示動作（図柄表示部１１の変動表示）が図柄表示部１１の変動表示或いは第２種特賞状態の終了を待って行われる構成となっている。また、抽選結果の一時的な記憶数（所謂保留玉数）は所定の上限値（例えば「４」）に制限されており、このような保留玉数を表示するために、図柄表示部１１の上方に発光ダイオードを利用した保留玉表示部１１ａが設けられている。
【００２１】
要するに、パチンコ遊技機１は、互いに異なる内容の第１特賞条件及び第２特賞条件が成立した各場合にそれぞれ独立した形態の第１種特賞状態及び第２種特賞状態に所定期間ずつ切り替わると共に、第１特賞条件及び第２特賞条件が双方とも成立したときには、第２種特賞状態へ優先的に切り替わるものである。
また、パチンコ遊技機１には、以下に述べるような各信号を外部へ出力する機能が設けられている。
【００２２】
即ち、パチンコ遊技機１は、打込パチンコ玉数を示すアウト玉数信号、並びに賞球として払い出されたパチンコ玉の数を示すセーフ玉数信号を出力する構成となっている。また、パチンコ遊技機１は、図柄表示部１１による図柄変動動作の実行（以下、これを第１スタートと呼ぶ）毎に第１スタート信号を出力し、第２スタート入賞口７ａ或いは７ｂへのパチンコ玉の入賞に応じた羽根１０ｂの短時間拡開動作の実行（以下、これを第２スタートと呼ぶ）毎に第２スタート信号を出力する構成となっており、さらに、第１種特賞状態及び第２種特賞状態にある各期間に第１特賞信号及び第２特賞信号をそれぞれ出力する構成となっている。
【００２３】
ここで、本実施例のパチンコ遊技機１は、第１種特賞状態にある期間中に第２特賞条件が成立した場合、つまり第１種特賞状態が途中で中断された場合には、その中断期間において上記第１特賞信号が途切れるという信号出力形態のものを対象としている。つまり、図３（ａ）には、パチンコ遊技機１が第１種特賞状態にある期間中に第２種特賞状態が２回発生した場合における第１特賞信号及び第２特賞信号の出力タイミングが例示されている。この図３（ａ）から理解できるように、第１特賞信号は、基本的にはパチンコ遊技機１が第１種特賞状態にある期間を通じて出力されるものであるが、当該期間中に第２種特賞状態が発生して第１種特賞状態が中断された期間中は、その出力が停止されるものであり、当該停止期間（第２種特賞状態にある期間）には第２特賞信号のみが出力されることになる。
【００２４】
尚、図３（ｂ）には、参考として、第１種特賞状態の開始から終了まで及び第２種特賞状態の開始から終了までの各期間に第１特賞信号及び第２特賞信号をそれぞれ継続的に出力する構成例が示されている。この例では、第１種特賞状態の中断期間（第２特賞信号の出力期間）において、第１特賞信号の出力状態が途切れることなく継続される形態、つまり、第１種特賞状態が中断された期間において第１特賞信号及び第２特賞信号が同時に出力される形態となる。
【００２５】
さて、図１には、本実施例によるパチンコホール用管理システムの概略的構成が本発明の要旨に関係した部分のみ示されている。この図１において、パチンコホール内に多数台ずつ設置されたパチンコ遊技機１及び台間玉貸機１２は、互いの間で信号の授受を行い得るように構成されている。パチンコ遊技機１の上方には呼出ランプユニット１３が設けられており、当該パチンコ遊技機１は、呼出ランプユニット１３を介して入出力装置１４と接続され、台間玉貸機１２はパチンコ遊技機１及び呼出ランプユニット１３を介して入出力装置１４に接続されている。尚、パチンコ遊技機１から入出力装置１４には、前述した第１特賞信号、第２特賞信号、第１スタート信号、第２スタート信号、セーフ玉数信号、アウト玉数信号などが出力される。
【００２６】
台間玉貸機１２は、プリペイドカード挿入口１２ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この台間玉貸機１２には、例えば液晶パネルより成る入力機能付きの表示パネル１２ｂが斜め前方側（手前側）へ突出した状態で設けられており、この表示パネル１２ｂにより種々のデータを表示できるようになっている。また、表示パネル１２ｂの画像表示面には、マトリクス型に構成された透明状タッチパネルスイッチが設けられており、これを通じて種々の入力操作を行い得る構成となっている。尚、各台間玉貸機１２から入出力装置１４には、プリペイドカードによる売上を示す売上信号などが出力される。
【００２７】
呼出ランプユニット１３は、複数の表示ランプ１３ａ、例えば液晶パネルより成る表示部１３ｂ、呼出ボタン１３ｃなどを備えた周知構成のもので、呼出ボタン１３ｃの操作に伴う呼び出し状態の表示機能、対応するパチンコ遊技機１で発生した特賞状態などを表示する機能、パチンコ遊技機１での稼動データ（特賞発生回数など）を表示する機能、パチンコ遊技機１及び台間玉貸機１２のためのデータ入出力インタフェースの機能などを備えている。
【００２８】
入出力装置１４は、店内ＬＡＮ１５に接続されており、この店内ＬＡＮ１５には、パチンコホールの管理事務所内に設置された管理コンピュータ１６（第１集計手段、第２集計手段、検出手段、計数制御手段に相当）が接続されている。また、図示しないが、店内ＬＡＮ１５には、景品交換カウンタに設置されたＰＯＳ端末及び島端に設置されたパチンコ玉計数機なども接続される。
【００２９】
管理コンピュータ１６は、パチンコ遊技機１及び台間玉貸機１２から出力される種々の信号（アウト玉数信号、セーフ玉数信号、第１スタート信号、第２スタート信号、第１特賞信号、第２特賞信号、売上信号など）に基づいて、パチンコ遊技機１についての稼動データ（アウト玉数、セーフ玉数、差玉数、稼動率、出玉率、ベース、センター役物１０及び図柄表示部１１の各スタート回数、第１種特賞状態及び第２種特賞状態の各発生回数など）、並びに台間玉貸機１２についての貸出高データ（売上金額、割数など）を集計して格納する機能を備えた構成となっている。
【００３０】
図４〜図６には、管理コンピュータ１６による制御内容のうち、本発明の要旨に関連したデータ集計機能に関係した部分が示され、また、図７及び図８には、管理コンピュータ１６による集計データのうち、１台のパチンコ遊技機１についての特賞履歴データ及び累計稼動データを帳票出力する際のフォーマット例が示されており、以下これらについて説明する。尚、以下の説明で使用する略号の意味は下記の通りである。
【００３１】
１Ｓ：第１スタート回数（図柄表示部１１の図柄変動動作の開始回数）、
２Ｓ：第２スタート回数（第２スタート入賞口７ａ或いは７ｂへのパチンコ玉の入賞に応じた羽根１０ｂの短時間拡開動作の回数）、
１Ｔ：第１種特賞回数（第１種特賞状態の発生回数）、
２Ｔ：第２種特賞回数（第２種特賞状態の発生回数）、
１ＴＯ：第１種特賞中アウト（第１種特賞状態中のアウト玉数）、
１ＴＯav．：第１種特賞中平均アウト（１ＴＯの累計値を第１種特賞状態の発生回数で除算した値、つまり第１種特賞状態１回当たりの平均アウト玉数）、
２ＴＯ：第２種特賞中アウト（第２種特賞状態中のアウト玉数）、
２ＴＯav．：第２種特賞中平均アウト（２ＴＯの累計値を第２種特賞状態の発生回数で除算した値、つまり第２種特賞状態１回当たりの平均アウト玉数）、
１ＴＹ：第１大当たり出玉（第１種特賞状態中の差玉数）、
１ＴＹav．：第１大当たり平均出玉（１ＴＹの累計値を第１種特賞状態の発生回数で除算した値、つまり第１種特賞状態１回当たりの平均差玉数）、
２ＴＹ：第２大当たり出玉（第２種特賞状態中の差玉数）、
２ＴＹav．：第２大当たり平均出玉（２ＴＹの累計値を第２種特賞状態の発生回数で除算した値、つまり第２種特賞状態１回当たりの平均差玉数）、
ＴＴＹ：合算大当たり出玉（第１種特賞状態中に第２種特賞状態が発生した場合の１ＴＹ＋２ＴＹ）、
ＴＴＹav．：合算大当たり平均出玉（ＴＴＹの累計値を、第１種特賞状態中に第２種特賞状態が発生した回数で除算した値、つまり第１種特賞状態中に第２種特賞状態が発生した状態１回当たりの（１ＴＹ＋２ＴＹ）の平均値）、
１ＴＩＲ：特賞中断回数（第１種特賞状態の中断回数）。
【００３２】
また、管理コンピュータ１６が集計する特賞履歴データは、図７に示すように、第１スタート回数１Ｓ、第２スタート回数２Ｓ、第１種特賞中アウト１ＴＯ、第２種特賞中アウト２ＴＯ、第１大当たり出玉１ＴＹ、第２大当たり出玉２ＴＹ、合算大当たり出玉ＴＴＹを組み合わせたデータであり、図７の例では、パチンコ遊技機１の台番号と対応付けた状態で、通し番号「１」から「７」までの７組の特賞履歴データがその通し番号順に並べられた状態が示されている。
【００３３】
この図７において、通し番号「１」〜「７」に対応したデータは、それぞれ以下のようなケースで出力される特賞履歴データを示すものである。
通し番号「１」…単独で発生した第１種特賞状態についての特賞履歴データ（但し、第２種特賞状態に関連した第２スタート回数２Ｓも参考データとして含まれる）、
通し番号「２」…単独で発生した第２種特賞状態についての特賞履歴データ（但し、第１種特賞状態に関連した第１スタート回数１Ｓも参考データとして含まれる）、
通し番号「３」…第１種特賞状態が発生した後にこれが終了する前の時点で第２種特賞状態が発生したとき（第１種特賞状態が中断されたとき）の第１種特賞状態についての特賞履歴データ（但し、第２種特賞状態に関連した第２スタート回数２Ｓも参考データとして含まれる。また、「*」は第１種特賞状態が中断されたことを示す）、
通し番号「４」…第１種特賞状態中に発生した第２種特賞状態についての特賞履歴データ（尚、「↓」は第１種特賞状態が中断状態にあることを示す）、
通し番号「５」…第１種特賞状態中に発生した第２種特賞状態（２回目）についての特賞履歴データ（尚、「↓」は第１種特賞状態が中断状態にあることを示す）、
通し番号「６」…一旦中断された後に最終的に終了された第１種特賞状態についての特賞履歴データ（但し、第２種特賞状態に関連した第２スタート回数２Ｓ、合算大当たり出玉ＴＴＹも参考データとして含まれる）、
通し番号「７」…単独で発生した第２種特賞状態についての特賞履歴データ（但し、第１種特賞状態に関連した第１スタート回数１Ｓも参考データとして含まれる）。
【００３４】
さらに、管理コンピュータ１６が集計する累計稼動データは、当日の営業開始時点からの稼動データをパチンコ遊技機１毎に累計したデータであり、図８に示すように、第１スタート回数１Ｓ、第２スタート回数２Ｓ、第１種特賞回数１Ｔ、第２種特賞回数２Ｔ、特賞中断回数１ＴＩＲの各累計値と、第１種特賞中平均アウト１ＴＯav．、第２種特賞中平均アウト２ＴＯav．、第１大当たり平均出玉１ＴＹav．、第２大当たり平均出玉２ＴＹav．、合算大当たり平均出玉ＴＴＹav．とを組み合わせたデータである。
【００３５】
図４には、管理コンピュータ１６による稼動データの集計処理ルーチンの内容が示されている。この図４において、管理コンピュータ１６は、第１特賞信号、第２特賞信号、第１スタート信号、第２スタート信号の各入力の有無を判断するステップＡ１、Ａ３、Ａ５、Ａ７、及びこれらステップＡ１、Ａ３、Ａ５、Ａ７で「ＮＯ」と判断される状態が所定時間（例えば３０秒）継続したか否かを判断するステップＡ９を順次実行するという待機ループを形成する。
この待機ループ形成状態から第１特賞信号が入力されたとき（ステップＡ１で「ＹＥＳ」）には、図５に具体的内容を示す第１特賞信号入力時処理ルーチンＡ２を実行した後に当該待機ループへ戻る。
【００３６】
第１特賞信号入力時処理ルーチンＡ２では、図５に示すように、まず、後述のような条件が成立したときにＯＮに反転される中断フラグの状態を判断する（ステップＢ１）。そして、中断フラグがＯＦＦの場合には、第１種特賞回数１Ｔを「１」だけインクリメントするステップＢ２、前回の特賞終了時点から現在時点までの第１スタート回数１Ｓ及び第２スタート回数２Ｓ（これらは後述の説明から明らかなように第１スタート信号及び第２スタート信号の入力毎にインクリメントされるデータである）を特賞履歴データとして記録するステップＢ３を順次実行した後に、第１特賞信号の入力が終了したか否かを判断するためのステップＢ４へ移行する。尚、第１スタート回数１Ｓ及び第２スタート回数２Ｓは、上記ステップＢ３の実行に伴い初期化される構成となっている。
また、中断フラグがＯＮであった場合には、当該中断フラグをＯＦＦに反転させるステップＢ５を実行した後に上記ステップＢ４へ移行する。
【００３７】
ステップＢ４において「ＮＯ」と判断される期間、つまり、第１特賞信号の入力が終了していない期間には、第１種特賞中アウト１ＴＯ、第１大当たり出玉１ＴＹを集計するステップＢ６、及び第２スタート信号が入力された否かを判断するステップＢ７を反復実行する。このとき、当該ステップＢ７で「ＹＥＳ」と判断したときには第２スタート回数２Ｓを「１」だけインクリメントするステップＢ８を実行する。これに対して、ステップＢ４において「ＹＥＳ」と判断された場合、つまり第１特賞信号の入力が終了した場合には、判定フラグ（これは後述のように第１種特賞状態の中断の有無を判定するために利用される）をＯＮに反転させるステップＢ９を実行した後にリターンする。
【００３８】
要するに、第１特賞信号入力時処理ルーチンＡ２は、第１特賞信号の入力に応じて開始され、その後に当該第１特賞信号の入力が終了するまでの期間だけ継続されるものである。そして、当該入力時処理ルーチンＡ２の開始時点で中断フラグがＯＦＦであった場合（後述の説明から理解できるように、第１特賞信号の入力が、一旦中断された第１種特賞状態の再開に伴うものではなく、第１種特賞状態が新規に発生するのに伴い入力された場合に相当）には、第１種特賞状態の発生回数を示す第１種特賞回数１Ｔが「１」だけインクリメントされる。また、このようなインクリメントが行われたときには、前回の特賞状態終了後から第１種特賞状態が発生するまでの間の第１スタート回数１Ｓ及び第２スタート回数２Ｓが特賞履歴データとして記録される。一方、第１特賞信号入力時処理ルーチンＡ２の開始時点において中断フラグがＯＮであった場合（後述の説明から理解できるように、第１特賞信号の入力が、一旦中断された第１種特賞状態の再開に伴うものであった場合に相当）には、その中断フラグがＯＦＦに反転される。
【００３９】
さらに、第１特賞信号入力時処理ルーチンＡ２では、第１特賞信号が入力開始されてから入力終了するまでの期間における第１種特賞中アウト１ＴＯ、第１大当たり出玉１ＴＹを集計する処理及び第２スタート回数２Ｓをインクリメントする処理が行われ、その処理終了時には、第１種特賞状態の中断の有無を判定するために利用される判定フラグがＯＮに反転されるものである。
【００４０】
図４に戻って、ステップＡ１、Ａ３、Ａ５、Ａ７、Ａ９を順次実行する前記待機ループ形成状態から第２特賞信号が入力されたとき（ステップＡ３で「ＹＥＳ」）には、図６に具体的内容を示す第２特賞信号入力時処理ルーチンＡ４を実行した後に当該待機ループへ戻る。第２特賞信号入力時処理ルーチンＡ４では、図６に示すように、まず、第２種特賞回数２Ｔを「１」だけインクリメントし（ステップＣ１）、この後に判定フラグの状態を判断する（ステップＣ２）。
【００４１】
この判定フラグは、前記第１特賞信号入力時処理ルーチンＡ２の終了時（第１特賞信号の入力終了時）にＯＮに反転されるものであるが（図５参照）、上記ステップＣ２において「ＹＥＳ」と判断されたときに行われるステップＣ５においてＯＦＦに戻されると共に、後述するように当該反転状態において第１特賞信号、第２特賞信号、第１スタート信号、第２スタート信号が入力されることなく所定時間（３０秒）が経過したときにＯＦＦに戻される構成となっている。
【００４２】
つまり、第１特賞信号入力処理時ルーチンＡ２が第２種特賞状態の発生に応じて終了されたとき（第１種特賞状態が途中で中断されたとき）には、判定フラグがＯＦＦに戻されることになる。但し、この場合には、第２種特賞状態の終了に応じて再開された第１種特賞状態が終了したときに、判定フラグがＯＮに再反転されることになる。また、第１特賞信号入力時処理ルーチンＡ２が終了した後に、第１特賞信号、第２特賞信号、第１スタート信号、第２スタート信号の非入力状態が３０秒継続したときには、判定フラグがＯＦＦに戻されることになる。
【００４３】
これにより、ステップＣ２の実行時点では、第２種特賞状態の発生に応じて第１種特賞状態が中断されか否かを判定フラグに基づいて判断できることになる。そして、ステップＣ２において判定フラグがＯＦＦと判断された場合（通常期間に第２種特賞状態が発生した場合に相当）には、前回の特賞終了時点から現在時点までの第１スタート回数１Ｓ及び第２スタート回数２Ｓを特賞履歴データとして記録するステップＣ３を実行した後に、第２特賞信号の入力が終了したか否かを判断するためのステップＣ８へ移行する。尚、第１スタート回数１Ｓ及び第２スタート回数２Ｓは、上記ステップＣ３の実行に伴い初期化される構成となっている。
【００４４】
これに対して、判定フラグがＯＮであった場合（第１種特賞状態にある期間に第２種特賞状態が発生して第１種特賞状態が中断された場合）には、前記中断フラグをＯＮに反転させるステップＣ４、判定フラグをＯＦＦに反転させるステップＣ５、前回の特賞終了時点から現在時点までの第２スタート回数２Ｓを特賞履歴データとして記録するステップＣ６を順次実行した後にステップＣ７を実行する。尚、第２スタート回数２Ｓは、上記ステップＣ６の実行に伴い初期化される構成となっている。
【００４５】
上記ステップＣ７では、前記第１特賞信号入力時処理ルーチンＡ２におけるステップＢ３で記録された特賞履歴データ（第１スタート回数１Ｓ及び第２スタート回数２Ｓ）に対応した第１種特賞中アウト１ＴＯ、第１大当たり出玉１ＴＹ、合算大当たり出玉ＴＴＹに対し、第１種特賞状態が中断状態にあることを示す属性データ（*）を記録するものであり、この後に前記ステップＣ８へ移行する。
【００４６】
ステップＣ８において「ＮＯ」と判断される期間、つまり、第２特賞信号の入力が終了していない期間には、第２種特賞中アウト２ＴＯ、第２大当たり出玉２ＴＹを集計するステップＣ９を反復実行する。これに対して、ステップＣ８において「ＹＥＳ」と判断された場合、つまり第２特賞信号の入力が終了した場合には、ステップＣ９での第２種特賞中アウト２ＴＯ、第２大当たり出玉２ＴＹの最終的な集計結果を特賞履歴データとして記録するステップＣ１０を実行した後にリターンする。
【００４７】
要するに、第２特賞信号入力時処理ルーチンＡ４は、第２特賞信号の入力に応じて開始され、その後に当該第２特賞信号の入力が終了するまでの期間だけ継続されるものであり、その開始に応じて第２種特賞状態の発生回数を示す第２種特賞回数２Ｔが「１」だけインクリメントされる。また、当該入力時処理ルーチンＡ４の開始時点において判定フラグがＯＦＦであった場合（第１種特賞状態にない通常期間に第２種特賞状態が発生した場合に相当）には、前回の特賞状態終了後から第２種特賞状態が発生するまでの間の第１スタート回数１Ｓ、第２スタート回数２Ｓが特賞履歴データとして記録される。
【００４８】
一方、第２特賞信号入力時処理ルーチンＡ４の開始時点において判定フラグがＯＮであった場合（第２種特賞状態が発生に応じて第１種特賞状態が中断された場合に相当）には、その判定フラグがＯＦＦに反転されると共に、中断フラグがＯＮに反転される。また、前回の特賞状態終了後から第２種特賞状態が発生するまでの間の第２スタート回数２Ｓが特賞履歴データとして記録されると共に、第１特賞信号入力時処理ルーチンＡ２におけるステップＢ３で記録された特賞履歴データに対応した第１種特賞中アウト１ＴＯ、第１大当たり出玉１ＴＹ、合算大当たり出玉ＴＴＹに対し、第１種特賞状態が中断状態にあることを示す属性データ（*）が記録される。
【００４９】
さらに、第２特賞信号が入力開始されてから入力終了するまでの期間における第２種特賞中アウト２ＴＯ、第２大当たり出玉２ＴＹを集計する処理が行われ、その期間終了時には、第２種特賞中アウト２ＴＯ、第２大当たり出玉２ＴＹの最終的な集計結果が特賞履歴データとして記録される。
従って、第２特賞信号入力時処理ルーチンＡ４においては、以下に述べるような特賞履歴データが記録されることになる。
【００５０】
（１）第２種特賞状態が単独で発生した場合…
ステップＣ３で記録された第１スタート回数１Ｓ、第２スタート回数２ＳとステップＣ１０で記録された第２種特賞中アウト２ＴＯ、第２大当たり出玉２ＴＹとを組み合わせた特賞履歴データ（図７の例では、通し番号「２」、「７」に対応した特賞履歴データ）。
（２）第２種特賞状態が第１種特賞状態中に発生した場合…
ステップＣ６で記録された第２スタート回数２ＳとステップＣ１０で記録された第２種特賞中アウト２ＴＯ、第２大当たり出玉２ＴＹとを組み合わせた特賞履歴データ（図７の例では、通し番号「４」、「５」に対応した特賞履歴データ）、並びに、第１特賞信号入力時処理ルーチンＡ２におけるステップＢ３で記録された第１スタート回数１Ｓ、第２スタート回数２Ｓと、第１種特賞中アウト１ＴＯ、第１大当たり出玉１ＴＹ、合算大当たり出玉ＴＴＹに対し、第１種特賞状態が中断状態にあることを示す属性データ（*）を記録した特賞履歴データ（図７の例では、通し番号「３」に対応した特賞履歴データ）。
【００５１】
図４に戻って、ステップＡ１、Ａ３、Ａ５、Ａ７、Ａ９を順次実行する待機ループの実行状態で第１スタート信号が入力されたとき（ステップＡ５で「ＹＥＳ」）には、第１スタータ回数１Ｓを「１」だけインクリメントするステップＡ６を実行した後に上記待機ループへ戻る。また、その待機ループの実行状態で第２スタート信号が入力されたとき（ステップＡ７で「ＹＥＳ」）には、第２スタート回数を「１」だけインクリメントするステップＡ８を実行した後に待機ループへ戻る。
【００５２】
そして、上記待機ループの実行状態で３０秒が経過したとき（ステップＡ９で「ＹＥＳ」）には、ステップＡ１０を実行する。このステップＡ１０では、判定フラグの状態を判断し、これがＯＦＦの場合にはそのまま前記待機ループへ戻る。これに対して、判定フラグがＯＮの場合には、これをＯＦＦに反転させるステップＡ１１、その時点での第１種特賞中アウト１ＴＯ、第１大当たり出玉１ＴＹの集計結果を特賞履歴データとして記録するステップＡ１２を順次実行した後に、それまで記録した特賞履歴データ中に中断記録（属性データ（*）があるか否かを判断する（ステップＡ１３）。
【００５３】
中断記録がない場合には、そのまま待機ループへ戻るが、中断記録があった場合には、ステップＡ１２で記録した特賞履歴データ中の第１大当たり出玉１ＴＹと前記ステップＣ１０で記録した第２大当たり出玉２ＴＹとの合計結果である合算大当たり出玉ＴＴＹと、前回の特賞終了時点からの第２スタート回数２Ｓとを当該特賞履歴データ中に記録するステップＡ１４を実行した後に待機ループへ戻る。尚、第２スタート回数２Ｓは、このステップＡ１４の実行に伴い初期化される構成となっている。
【００５４】
従って、第１特賞信号、第２特賞信号、第１スタート信号、第２スタート信号が入力されることなく３０秒が経過した時点において、第１特賞信号入力時処理ルーチンＡ２が終了したことを示す判定フラグがＯＮであった場合には、以下に述べるような特賞履歴データが記録されることになる。
（１）第１種特賞状態の中断がなかった場合…
第１特賞信号入力時処理ルーチンＡ２のステップＢ３で記録された第１スタート回数１Ｓ、第２スタート回数２Ｓと、ステップＡ１２で記録された第１種特賞中アウト１ＴＯ、第１大当たり出玉１ＴＹとを組み合わせた特賞履歴データ（図７の例では、通し番号「１」に対応した特賞履歴データ）。
【００５５】
（２）第２種特賞状態の発生に応じた第１種特賞状態の中断があった場合…
ステップＡ１２で記録された第１種特賞中アウト１ＴＯ、第１大当たり出玉１ＴＹと、ステップＡ１４で記録された第２スタート回数２Ｓ及び合算大当たり出玉ＴＴＹとを組み合わせた特賞履歴データ（図７の例では、通し番号「６」に対応した特賞履歴データ）。
以上要するに、上記した本実施例によれば以下に述べるような作用・効果を奏するものである。即ち、パチンコ遊技機１は、第１特賞条件（図柄表示部１１にぞろ目図柄が表示された状態）及び第２特賞条件（第２種特賞状態が発生していない期間にセンター役物１０のＶゾーン１０ｃをパチンコ玉が通過した場合）が双方とも成立したときには、第２種特賞状態へ優先的に切り替わる構成となっている。このため、パチンコ遊技機１は、第２種特賞状態にある期間中に第１特賞条件が成立したときには、当該第２種特賞状態が終了した後に第１種特賞状態に切り替わることになるが、第１種特賞状態にある期間中に第２特賞条件が成立したときには、当該第１種特賞状態を中断して第２種特賞状態に切り替わり、この第２種特賞状態が終了した後に第１種特賞状態に復帰することになる。
【００５６】
一方、管理コンピュータ１６は、パチンコ遊技機１が第１種特賞状態にある期間に出力される第１特賞信号に基づいて、当該遊技機１が第１種特賞状態に切り替わった各期間毎の稼動データを集計すると共に、パチンコ遊技機１が第２種特賞状態にある期間に出力される第２特賞信号に基づいて、当該遊技機１が第２種特賞状態に切り替わった各期間毎の稼動データを集計する。
【００５７】
この場合、前述したように、第１種特賞状態にある期間中に第２特賞条件が成立したときには、当該第１種特賞状態を中断して第２種特賞状態に切り替わり、この第２種特賞状態が終了した後に第１種特賞状態に復帰することになる。このため、第１種特賞状態に切り替わった期間毎の稼動データを集計動作が、第１特賞信号のみに基づいて行われたときには、本来的に第１種特賞状態が１回発生した期間に区分されるべき稼動データが、２回分の特賞状態に対応したデータとして取り扱われることになり、パチンコ遊技機１の稼動データを第１種特賞状態の各回の発生期間毎に正確に区分して集計できなくなる。
【００５８】
これに対して、本実施例では、管理コンピュータ１６に対して、第１特賞信号及び第２特賞信号に基づいて上述のような第１種特賞状態の中断及び復帰を検出する検出手段の機能と、第１種特賞状態の中断が検出されたときに当該特賞状態にある期間の稼動データについての集計動作を中断すると共に、その後に第１種特賞状態への復帰が検出されたときに上記集計動作を再開させる計数制御手段の機能とが付与されているから、その集計動作により得られる稼動データは、第１種特賞状態が１回発生した期間におけるパチンコ遊技機１の稼動データ（図７の通し番号［６］の特賞履歴データ参照）に対応したものになる。つまり、本来的に第１種特賞状態が１回発生した期間に区分されるべき稼動データが、２回分の特賞状態に対応したデータとして取り扱われることがなくなるものであり、これにより、パチンコ遊技機１についての稼動データを特賞状態の各回の発生期間毎に正確に区分して集計できるようになる。
【００５９】
その他、本発明は上記し且つ図面に示した実施例に限定されるものではなく、例えば以下に述べるような変形或いは拡大が可能である。
本実施例では、図３（ａ）に示したように、第１種特賞状態が第２種特賞状態の発生により中断した場合には、第１特賞信号が途切れる出力形態を前提に説明したが、図３（ｂ）のように、第１種特賞状態の中断期間において第１特賞信号の出力状態が途切れることなく継続される出力形態とされたパチンコ遊技機が管理対象であった場合には、第１特賞信号の入力中であっても第２特賞信号が入力している間は第１種特賞状態が中断されている、と見なすことにより上記実施例と同様に対応可能になるものである。
【００６０】
また、第１特賞信号および第２特賞信号の出力形態が図３（ｂ）のような構成とされたパチンコ遊技機、換言すれば、第１種特賞状態の開始から終了まで及び第２種特賞状態の開始から終了までの各期間にそれぞれ第１特賞信号及び第２特賞信号を継続的に出力するパチンコ遊技機についての稼動データを管理対象とする場合には、第１特賞信号の１回の出力期間毎の稼動データを集計する第１集計手段と、第２特賞信号の１回の出力期間毎の稼動データを第２種特賞状態が発生している期間毎の稼動データとして集計する第２集計手段と、第１特賞信号の出力期間中に第２特賞信号が出力されなかった場合には上記第１集計手段の集計結果を第１種特賞状態が発生している期間毎の稼動データとして集計すると共に、第１特賞信号の出力期間に第２特賞信号が出力された場合には、第１集計手段の集計結果から当該第２特賞信号の出力期間中における第２集計手段の集計結果を減算した値を第１種特賞状態が発生している期間毎の稼動データとして集計する計数制御手段を設ける構成としても良い。
【００６１】
上記実施例では、第１の特賞状態の例として第１種パチンコ遊技機に対応した特賞状態（第１種特賞状態）を挙げると共に、第２の特賞状態の例として第２種パチンコ遊技機に対応した特賞状態（第２種特賞状態）を挙げたが、これに限られるものでない。例えば、本実施例でいうところの第１種特賞状態を第２の特賞状態とすると共に、同第２種特賞状態を第１の特賞状態とする構成や、第３種パチンコ遊技機（所謂権利物）に設定された特賞状態を第１の特賞状態或いは第２の特賞状態として適用する構成など、種々の組合せが考えられる。
【００６２】
第１の特定入賞口として第１スタート入賞口６を設けると共に、第２の特定入賞口として第２スタート入賞口７ａ及び７ｂを設けたパチンコ遊技機１を管理対象としたが、第１の特定入賞口及び第２の特定入賞口を１つのスタート入賞口により兼用した構成（当該スタート入賞口へのパチンコ玉の入賞に応じて、第１種特賞状態のための抽選動作及び第２種特賞状態のための羽根１０ｂの短時間拡開動作が行われる構成）のパチンコ遊技機が管理対象であっても良い。但し、この場合には、本実施例でいう第１スタート回数１Ｓ、第２スタート回数２Ｓの概念はなくなり、単にスタート回数を集計することになる。
【００６３】
本発明のシステムによる管理対象の遊技機をスロットマシンとすることも可能である。例えば、第１の特賞状態を所謂アシストタイム（内部当選した役を入賞させるための情報を遊技者に報知する状態）、第２の特賞状態をビッグボーナスとし、アシストタイム中にビッグボーナスが発生した場合はアシストタイムを中断してビッグボーナスに切り替える構成のスロットマシンを管理対象とした場合、アシストタイムが中断したときでもそのアシストタイム中の稼動データを正確に集計管理することが可能になる。
【図面の簡単な説明】
【００６４】
【図１】本発明の一実施例を示すシステム全体の概略的構成図
【図２】パチンコ遊技機の概略的な正面図
【図３】第１特賞信号及び第２特賞信号の出力パターンを示すタイミングチャート
【図４】管理コンピュータの制御内容を示すフローチャートその１
【図５】管理コンピュータの制御内容を示すフローチャートその２
【図６】管理コンピュータの制御内容を示すフローチャートその３
【図７】特賞履歴データを帳票出力する際のフォーマット例を示す図
【図８】累計稼動データを帳票出力する際のフォーマット例を示す図
【符号の説明】
【００６５】
１はパチンコ遊技機、６は第１スタート入賞口（第１の特定入賞口）、７ａ、７ｂは第２スタート入賞口（第２の特定入賞口）、８は大型入賞口、９は複合役物、１０はセンター役物（電気役物）、１０ｂは羽根、１０ｃはＶゾーン、１１は図柄表示部、１６は管理コンピュータ（第１集計手段、第２集計手段、検出手段、計数制御手段）を示す。
【図１】
0004805533.tif 000002
【図２】
0004805533.tif 000003
【図３】
0004805533.tif 000004
【図４】
0004805533.tif 000005
【図５】
0004805533.tif 000006
【図６】
0004805533.tif 000007
【図７】
0004805533.tif 000008
【図８】
0004805533.tif 000009